【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
ライブ画像において関心の地点をマーク付けるためのコンピュータ実装方法であって、該方法は、
衛星から受信されたナビゲーション信号に基づいてナビゲーションデバイスの位置を決定することと、
該デバイスの配向センサーからのデータに基づいて該デバイスの配向を決定することと、
関心の地点の位置を得ることと、
該デバイスの第１のカメラから第１のライブ画像を得ることと、
該デバイスのディスプレイ上に該第１のライブ画像を表示することと、
該第１のライブ画像において、該第１のライブ画像における該関心の地点の第１の位置を示す第１のマーカーを表示することであって、該第１の位置は、該デバイスの位置、該デバイスの配向および該関心の地点の位置に基づく、ことと、
該関心の地点の位置に基づいて、該関心の地点が該デバイスの第２のカメラの視界内にあるか否かを決定することと、
該デバイスの第２のカメラから第２のライブ画像を得ることと、
該関心の地点の位置が該視界内にあると決定することに応答して、該デバイスのディスプレイ上に該第２のライブ画像を表示し、かつ、該第２のライブ画像において、該第２のライブ画像における該関心の地点の第２の位置を示す第２のマーカーを表示することであって、該第２の位置は、該デバイスの位置、該デバイスの配向および該関心の地点の位置に基づく、ことと
を含む、方法。
【請求項２】
前記第２のライブ画像は、前記第１のライブ画像の第１の視界に実質的に垂直である第２の視界を有する、請求項１に記載の方法。
【請求項３】
前記第２のライブ画像を表示することは、ユーザーのコマンドに応答して生じる、請求項１に記載の方法。
【請求項４】
前記第１のマーカーは、固定部分および可変部分を含み、該固定部分は、前記デバイスから前記関心の地点までの距離に依存しない固定サイズを有し、該可変部分は、ＧＮＳＳデバイスから該関心の地点までの距離に基づくサイズを有する、請求項１に記載の方法。
【請求項５】
前記第１のマーカーは、前記デバイスの位置に関連付けられたエラーに依存する色である、請求項１に記載の方法。
【請求項６】
前記第２のマーカーは、前記デバイスの位置に関連付けられたエラーに依存する色である、請求項５に記載の方法。
【請求項７】
前記第１のマーカーは、前記デバイスと前記関心の地点との間の高度差の表示を含む、請求項１に記載の方法。
【請求項８】
前記関心の地点の位置は、前記デバイス内のメモリーから得られる、請求項１に記載の方法。
【請求項９】
ライブ画像において関心の地点をマーク付けるための実行可能な命令を用いて符号化された非一時的コンピュータ読取可能な媒体であって、該命令は、
衛星から受信されたナビゲーション信号に基づいてナビゲーションデバイスの位置を決定することと、
該デバイスの配向センサーからのデータに基づいて該デバイスの配向を決定することと、
関心の地点の位置を得ることと、
該デバイスの第１のカメラから第１のライブ画像を得ることと、
該デバイスのディスプレイ上に該第１のライブ画像を表示することと、
該第１のライブ画像において、該第１のライブ画像における該関心の地点の第１の位置を示す第１のマーカーを表示することであって、該第１の位置は、該デバイスの位置、該デバイスの配向および該関心の地点の位置に基づく、ことと、
該関心の地点の位置に基づいて、該関心の地点が該デバイスの第２のカメラの視界内にあるか否かを決定することと、
該デバイスの第２のカメラから第２のライブ画像を得ることと、
該関心の地点の位置が該視界内にあると決定することに応答して、該デバイスのディスプレイ上に該第２のライブ画像を表示し、かつ、該第２のライブ画像において、該第２のライブ画像における該関心の地点の第２の位置を示す第２のマーカーを表示することであって、該第２の位置は、該デバイスの位置、該デバイスの配向および該関心の地点の位置に基づく、ことと
を行う命令を含む、コンピュータ読取可能な媒体。
【請求項１０】
前記第２のライブ画像は、前記第１のライブ画像の第１の視界に実質的に垂直である第２の視界を有する、請求項９に記載のコンピュータ読取可能な媒体。
【請求項１１】
前記第２のライブ画像を表示することは、ユーザーのコマンドに応答して生じる、請求項９に記載のコンピュータ読取可能な媒体。
【請求項１２】
前記第１のマーカーは、固定部分および可変部分を含み、該固定部分は、前記デバイスから前記関心の地点までの距離に依存しない固定サイズを有し、該可変部分は、ＧＮＳＳデバイスから該関心の地点までの距離に基づくサイズを有する、請求項９に記載のコンピュータ読取可能な媒体。
【請求項１３】
前記第１のマーカーは、前記デバイスの位置に関連付けられたエラーに依存する色である、請求項９に記載のコンピュータ読取可能な媒体。
【請求項１４】
前記第２のマーカーは、前記デバイスの位置に関連付けられたエラーに依存する色である、請求項１３に記載のコンピュータ読取可能な媒体。
【請求項１５】
前記第１のマーカーは、前記デバイスと前記関心の地点との間の高度差の表示を含む、請求項９に記載のコンピュータ読取可能な媒体。
【請求項１６】
前記関心の地点の位置は、前記デバイス内のメモリーから得られる、請求項９に記載のコンピュータ読取可能な媒体。
【請求項１７】
ライブ画像上に関心の地点の視覚表示を提供するためのナビゲーションデバイスであって、該デバイスは、
第１の視界を有する第１のカメラと、
第２の視界を有する第２のカメラと、
衛星からナビゲーション信号を受信するように構成されたナビゲーションアンテナと、
メモリーであって、該メモリーは、
衛星から受信されたナビゲーション信号に基づいて該ナビゲーションデバイスの位置を決定することと、
該デバイスの配向センサーからのデータに基づいて該デバイスの配向を決定することと、
関心の地点の位置を得ることと、
該デバイスの第１のカメラから第１のライブ画像を得ることと、
該デバイスのディスプレイ上に該第１のライブ画像を表示することと、
該第１のライブ画像において、該第１のライブ画像における該関心の地点の第１の位置を示す第１のマーカーを表示することであって、該第１の位置は、該デバイスの位置および該デバイスの配向に基づく、ことと、
該関心の地点の位置に基づいて、該関心の地点が該デバイスの第２のカメラの第２の視界内にあるか否かを決定することと、
該デバイスの第２のカメラから第２のライブ画像を得ることと、
該関心の地点の位置が該第２の視界内にあると決定することに応答して、該デバイスのディスプレイ上に該第２のライブ画像を表示し、かつ、該第２のライブ画像において、該第２のライブ画像における該関心の地点の第２の位置を示す第２のマーカーを表示することであって、該第２の位置は、該デバイスの位置、該デバイスの配向および該関心の地点の位置に基づく、ことと
を行う命令を含む、メモリーと、
該命令を実行するように構成されたプロセッサと
を含む、デバイス。
【請求項１８】
前記第２の視界は、前記第１のカメラの第１の視界に実質的に垂直である、請求項１７に記載のデバイス。
【請求項１９】
前記第２のライブ画像を表示することは、ユーザーのコマンドに応答して生じる、請求項１７に記載のデバイス。
【請求項２０】
前記第１のマーカーは、固定部分および可変部分を含み、該固定部分は、前記デバイスから前記関心の地点までの距離に依存しない固定サイズを有し、該可変部分は、ＧＮＳＳデバイスから該関心の地点までの距離に基づくサイズを有する、請求項１７に記載のデバイス。
【請求項２１】
前記第１のマーカーは、前記デバイスの位置に関連付けられたエラーに依存する色である、請求項１７に記載のデバイス。
【請求項２２】
前記第２のマーカーは、前記デバイスの位置に関連付けられたエラーに依存する色である、請求項２１に記載のデバイス。
【請求項２３】
前記第１のマーカーは、前記デバイスと前記関心の地点との間の高度差の表示を含む、請求項１７に記載のデバイス。
【請求項２４】
前記関心の地点の位置は、前記デバイス内のメモリーから得られる、請求項１７に記載のデバイス。